(57)【要約】【課題】１台で２枚のマット類を干すことができるマット干し機能付き木製スノコを提供する。【解決手段】バスマットに代表されるマット類を干す機能を備えた木製スノコについて、スノコ構造を有する１対の台板１１、１２を、それらの１辺において、ヒンジ部１３により折り畳み展開可能に結合して成る本体を形成し、上記台板の裏面に折り畳まれる支持脚１７、１８を、ヒンジ部を設けた辺部と平行かつ外方へ離れた辺部近くに夫々軸支し、ヒンジ部１３を下にして１対の台板１１、１２を開き、上記支持脚１７、１８を一定範囲外方へ回転させ、全体としてほぼＭ字状となるように各台板を支える停止部２２を台板の裏面に有するものとする。【選択図】          図３
0003139381.tif 000002
【実用新案登録請求の範囲】
【請求項１】
バスマットに代表されるマット類を干す機能を備えた木製スノコであって、
スノコ構造を有する１対の台板を、それらの１辺において、ヒンジ部により折り畳み展開可能に結合して成る本体を具備し、１対の台板の裏面に折り畳まれる支持脚を、ヒンジ部を設けた辺部と平行かつ外方へ離れた辺部近くに夫々軸支し、ヒンジ部を下にして１対の台板を開くとともに、上記支持脚を一定範囲外方へ回転させ、全体としてほぼＭ字状となるように各台板を支える支持脚を固定するための停止部を台板の裏面に有することを特徴とするマット干し機能付き木製スノコ。
【請求項２】
台板は、ヒンジ部を設けた辺と平行な横桟とそれらと交叉して一体の台板を構成している縦桟とから成り、縦桟は横桟の側辺部において横桟の裏面に重ねて取り付けられることによりスノコ構造の台板を構成している請求項１記載のマット干し機能付き木製スノコ。
【請求項３】
支持脚は台板の裏面に取り付けられ、その上方の端部と係合可能な横桟の裏面の縁部に停止部を有している請求項２記載のマット干し機能付き木製スノコ。
【考案の詳細な説明】
【技術分野】
【０００１】
本考案は、バスマットに代表されるマット類を干す機能を備えた木製スノコに関するものである。
【背景技術】
【０００２】
出願人は先に登録実用新案第３１０４５５１号を考案し、好評を得ている。同号の考案に係るバスマット敷板は同幅同長の二枚のスノコ状板からなり、それぞれを辺部で突合せて折り畳み可能に連結し、二枚のスノコ状板を保持体により逆Ｖ字状或いはＡ字状に保持してバスマットを掛けて乾燥させるようにしたものである。
【０００３】
しかしながら上記のバスマット敷板は、二枚のスノコ状板を逆Ｖ字状或いはＡ字状にして使用するものであるため、ただ１枚のマット類を干すことができるに過ぎない。なお、木製スノコマットについては例えば登録実用新案第３０８４０８６号のように、スノコ構成板に間隔保持部材を含んで構成されているものがあるが、このような構造ではマット干しに使用することはできない。
【０００４】
【特許文献１】登録実用新案第３１０４５５１号
【特許文献２】登録実用新案第３０８４０８６号
【考案の開示】
【考案が解決しようとする課題】
【０００５】
本考案は前記の点に着目してなされたもので、その課題は、１台で２枚のマット類を干すことができるマット干し機能付き木製スノコを提供することである。また、本考案の他の課題は、通気性が良く抗菌性があり腐食し難い特性があり、収納時には折り畳み可能であり、スペースを有効利用可能な木製スノコを提供することである。
【課題を解決するための手段】
【０００６】
前記の課題を解決するため、本考案は、バスマットに代表されるマット類を干す機能を備えた木製スノコについて、スノコ構造を有する１対の台板を、それらの１辺において、ヒンジ部により折り畳み展開可能に結合して成る本体を具備するものとし、１対の台板の裏面に折り畳まれる支持脚を、ヒンジ部を設けた辺と平行かつ外方へ離れた辺部に夫々軸支し、ヒンジ部を下にして１対の台板を開くとともに、上記支持脚を一定範囲外方へ回転させ、全体としてほぼＭ字状となるように各台板を支える支持脚を固定するための停止部を台板の裏面に有するものとするという手段を講じたものである（請求項１記載の考案）。
【０００７】
本考案はマット類を干す機能を備えている点において、前記の木製スノコと共通性を有する。木製であることは、例えばヒノキの間伐剤などを使用することによる、抗菌効果を期待できるとともに、安価であること、軽量であること、などの利点を享受することができることを意味する。
【０００８】
本考案に係る木製スノコの場合、スノコ構造を有する１対の台板を、それらの１辺において、ヒンジ部により折り畳み展開可能に結合して成る本体を具備する。スノコ構造とは部材間に隙間のある構造を指すが、本考案では、ヒンジ部を設けた辺と平行な横桟とそれらと交叉して一体の台板を構成している縦桟とから成り、縦桟は横桟の側辺部において横桟の裏面に重ねて取り付けることにより構成されたスノコ構造の台板を使用することが望ましい（請求項２）。なお１対の台板は同形、同大である場合が普通であると考えて良いが、しかし、絶対にそうでなければならないということではない。
【０００９】
上記１対の台板の裏面に折り畳まれる支持脚は、ヒンジ部を設けた辺と平行かつ外方へ離れた辺部に夫々軸支する。本体が二つ折りの構成を取るので、ヒンジ部を設けた辺は中央となり、支持脚は、ヒンジ部から最も離れた外方の辺部に取り付けるものとするということである。
【００１０】
上記本体は、ヒンジ部を下にして１対の台板を開くとともに、上記支持脚を一定範囲外方へ回転させ、全体としてほぼＭ字状となる配置形態を取ることが出来るが、そのために各台板を支える支持脚を固定するための停止部を台板の裏面に有するものとする。支持脚が一定範囲外方へ回転可能な角度は、台板が外側に倒れるのを防ぎ得れば良いので、Ｍ字の垂辺にあたる支持脚の角度は、床から垂直よりも外側へ開き気味にした方が良い安定性を得ることができる。そして、Ｍ字の二つの垂辺の上端に各１枚、合計２枚のマット類を掛けることができる訳である。
【００１１】
このような支持脚は台板の裏面に取り付け、その上方の端部と係合可能な横桟の裏面の縁部に停止部を設けることが望ましい（請求項３）。停止部は上記の開脚時の安定性を得るために横桟に用意される部分である。スノコ構造の台板を、横桟の側辺部において横桟の裏面に重ねて縦桟を取り付ける構成を取る場合、支持脚を、縦桟の厚みの収まる範囲に設定する。これにより、本考案の木製スノコの使用状態では縦桟が床に接する。
【考案の効果】
【００１２】
本考案は以上のように構成されかつ作用するものであるから、従来のものは凸部が１箇所しかないＡ字状であるのに対して、本考案のものは凸部が２箇所のＭ字状となり、１台で２枚のマット類を干すことができるという効果を奏する。また、収納時には支持脚を本体に折り畳むことができ、スペースを有効利用可能であるとともに、ヒノキ材の使用により通気性が良く、抗菌性があり腐食し難い特性が得られる木製スノコを提供することができる。
【考案を実施するための最良の形態】
【００１３】
以下図示の実施形態を参照して本考案をより詳細に説明する。図１は本考案に係るマット干し機能付き木製スノコ１０を示している。このスノコ１０は、いわゆるスノコ構造を有する１対の台板１１、１２を、それぞれの１辺において、ヒンジ部１３により折り畳み展開可能に結合して成る本体を具備している。
【００１４】
上記台板１１、１２は、複数個の平行な横桟１４と、それらの左右端部にそれらと交叉して配置されかつ結合される縦桟１５とから成る（図２参照）。複数個の平行な横桟１４は、縦桟１５とともに板材から成り、複数個の平行な横桟１４が間隔をあけて配置され、横桟１４の左右の側辺部において裏面に縦桟１５を重ね、ステープルや釘類或いは接着によって構成される固着手段１６ａを用いて結合することにより一体に組み立てられ、このようにして、スノコ構造の台板１１、１２が構成されている。
【００１５】
横桟１４の裏面において、ヒンジ部１３を設けた中央辺部１１ａ、１２ａと平行かつ外方へ離れた外方辺部１１ｂ及び１２ｂには、縦桟１５と同様に横桟１４の裏面に重ねて設けた外方桟１６が設けられている。外方桟１６は左右の縦桟１５、１５とともに、各台板１１、１２の裏面を縁取るコの字型の枠を形成している。
【００１６】
上記のようにして形成されている１対の台板１１、１２には、その裏面に折り畳まれる支持脚１７、１８を、ヒンジ部１３を設けた辺部１１ａ及び１２ａから平行かつ外方へ離れた辺部１１ｂ、１２ｂの近くに夫々軸支により取り付けている（図２〜図４参照）。この支持脚１７、１８は、台板１１、１２の裏面に所定の間隔で２個の桟木１９、２０を取り付け、かつそれらに渡した支軸２１を用いて取り付けられている。
【００１７】
上記支持脚１７、１８を一定の開脚角度で固定するために、上方の端部１７ａ、１８ａの付近と係合可能な横桟１４の裏面の角縁部を、停止部２２として利用している。さらに図示の例では、最外部の横桟１４の裏面の縁を凹状に加工して逃げ部２３を設け、支持脚１７、１８の抵触を回避している（図４参照）。２４はシューであり、支持脚１７、１８の下方の端部に設けられ、Ｍ字状にしたときの接触長さを拡大して安定性を向上させる。なお、図４、図６に示されているように、１対の台板１１、１２を連結するヒンジ部１３は柔軟かつ丈夫なテープ状の部材より成り、横桟１４と縦桟１５の間に挟み込んで取り付けている。
【００１８】
このように構成された本考案のマット干し機能付き木製スノコ１０は、浴室の入口に敷く場合には、１対の台板１１、１２を図５に示すように広げて置き、その上にいわゆるバスマットに代表されるマット類２５を重ねて敷き使用する（図７（ａ）参照）。このためバスマット２５の下に空間ができるので、通気性が確保されバスマット２５の湿気がたまらないようになる。
【００１９】
上記マット類２５を干す場合にはヒンジ部１３を下にして１対の台板１１、１２を開くとともに、上記支持脚１７、１８を一定範囲外方へ回転させて開き、全体としてほぼＭ字状となるようにして各台板１１、１２を支える（図４、図６（ａ）等参照）。図７（ｂ）は、ほぼＭ字状にした本考案の木製スノコ１０の２箇所の凸部に１枚のみマット類２５を干した状態を示す。図７（ｃ）は、上記２箇所の凸部に各１枚、合計２枚のマット類２５を干した状態を示している。このようにして干している間中、マット類２５は線状に台板１１、１２に支えられ、かつ台板自体もスノコ構造を有しているので非常に良好な通気性が得られる。
【００２０】
本考案２０のマット干し機能付き木製スノコ１０を収納する場合には、例えば図６に示されている状態から、１対の台板１１、１２を閉じ、さらに各台板１１、１２の裏面の支持脚１７、１８を閉じておく。これにより各台板１１、１２は横板１４と縦板１５を重ねた合計板厚の２倍程度となり、一例では５センチメートル未満の厚さとなるので僅かな隙間にも収納可能である。
【図面の簡単な説明】
【００２１】
【図１】本考案に係るマット干し機能付き木製スノコの一例を示す斜視図。
【図２】同上のものを裏面側から見た斜視図。
【図３】同上のものをマット干しとして使用する状態の斜視図。
【図４】同上の状態に関するもので、（ａ）は縦断面図、（ｂ）は部分拡大図。
【図５】同上のものをマット干しとして使用する状態の縦断面図。
【図６】同上の状態を裏面側から見たもので、（ａ）は斜視図、（ｂ）は部分拡大図。
【図７】同上のものの使用状態として（ａ）（ｂ）（ｃ）３例を示す斜視図。説明図である。
【符号の説明】
【００２２】
１０  マット干し機能付き木製スノコ
１１、１２  １対の台板
１３  ヒンジ部
１４  横桟
１５  縦桟
１６  外方桟
１７、１８  支持脚
１９、２０  桟木
２１  支軸
２２  停止部
２３  逃げ部
２４  シュー
２５  マット類
【図１】
0003139381.tif 000003
【図２】
0003139381.tif 000004
【図３】
0003139381.tif 000005
【図４】
0003139381.tif 000006
【図５】
0003139381.tif 000007
【図６】
0003139381.tif 000008
【図７】
0003139381.tif 000009